(57)【特許請求の範囲】
【請求項１】
複数の通話チャンネルから、実際に通話を実行する１の通話チャンネルを割り当てて、その割り当てた通話チャンネルによって相手側装置と無線通信を実行する無線通信装置において、
各通話チャンネルの通信品質を指標するための通信パラメータを、各通話チャンネルについて予め検出しておき、その検出されたデータを各通話チャンネルの有する固有データとして、各通話チャンネルに対応づけて記憶する固有データ記憶手段と、
その固有データ記憶手段に記憶された各通話チャンネルの固有データに基づいて、所定基準を満たしている少なくとも１以上の通話チャンネルを抽出する通話チャンネル抽出手段と、
その通話チャンネル抽出手段により抽出された各抽出通話チャンネルの通信品質を指標するために、前記通信パラメータとは異なる種類であって、検出毎に変動し前記通信パラメータよりも通信品質に影響を及ぼす通信パラメータを検出する通信パラメータ検出手段と、
前記通信パラメータ検出手段により検出された各抽出通話チャンネルの検出データに応じて、各抽出通話チャンネルに第１ポイントを付与する第１ポイント付与手段と、前記固有データ記憶手段に記憶された固有データに応じて、各抽出通話チャンネルに第２ポイントを付与する第２ポイント付与手段とを備える共に、前記第１ポイント付与手段と第２ポイント付与手段とによって付与された第１ポイントと第２ポイントとを、第１ポイントの重み付けを大きくした状態で算出された合計ポイントに基づいて、前記通話チャンネル抽出手段により抽出された各抽出通話チャンネルの中から、実際に通話を実行する１の通話チャンネルを割り当てる通話チャンネル割り当て手段とを備えていることを特徴とする無線通信装置。
【請求項２】
前記通信パラメータ検出手段により検出された検出データを、各抽出通話チャンネルに対応づけて記憶する検出データ記憶手段を備え、
その検出データ記憶手段に記憶されている各抽出通話チャンネルの検出データを、前記通信パラメータ検出手段により検出される新たな検出データに更新する検出データ更新手段を備えていることを特徴とする請求項１に記載の無線通信装置。
【発明の詳細な説明】
【０００１】
【発明の属する技術分野】
本発明は、複数の通話チャンネルの中から、実際に通話を実行する１の通話チャンネルを割り当て、その割り当てた通話チャンネルによって相手側装置と無線通信を実行する無線通信装置に関し、特に、複数の通話チャンネルの中から、無線通信に最適な１の通話チャンネルを割り当て、良好な通話品質を供給することができる無線通信装置に関するものである。
【０００２】
【従来の技術】
従来より、外線と接続された親機と、その親機との間で無線回線を介して接続される子機とから構成されるコードレス親子電話装置が知られている。このコードレス親子電話装置に関し、現在、わが国では、小電力型コードレス電話として２５０ＭＨｚ帯と３８０ＭＨｚ帯とを使った８９個のチャンネルの使用が認められている。この内、８７個のチャンネル（１チャンネル〜４５チャンネル及び４７チャンネル〜８８チャンネル）は、親機と子機との間の無線通信を行う通話チャンネルとして、残りの２個のチャンネル（４６チャンネル及び８９チャンネル）は、親機と子機との無線リンクを確立するのに使用する制御チャンネルとして定められている。
【０００３】
このコードレス親子電話装置によれば、上記８７個の通話チャンネルの中から、実際に子機との無線通信を実行する１の通話チャンネルを割り当てるべく、親機は各通話チャンネルの空き状況を順番にチェックする。このチェックは、各通話チャンネルの通信品質を指標する通信パラメータとして、各通話チャンネルの電解強度（Received Signal Strength Indicator）（以下「ＲＳＳＩ」と称す）を検出し、その検出したＲＳＳＩが一定レベル以下であれば、その通話チャンネルを空きチャンネルとするものである。次に、制御チャンネルに子機からの発呼情報等を受信しているか否かを確認し、受信情報があれば先程チェックした空きチャンネルを利用して親機と子機との間で無線通信を実行するといった処理を行っている。
【０００４】
【発明が解決しようとする課題】
しかしながら、８７個の各通話チャンネルの通信品質は、それぞれに異なり、また、装置を設置した環境やＲＳＳＩを測定する時刻によっても、それぞれに異なる変化率によって変化するものである。よって、上述したように、たとえ検出されたＲＳＳＩが一定レベル以下であって、実際に無線通信を実行する通話チャンネルとして割り当てられた通話チャンネルであっても、他の通話チャンネルの中には、その無線通信を実行する通話チャンネルよりも無線通信に適した通話チャンネルが存在する場合がある。従って、無線通信を実行する通話チャンネルとして割り当てられた通話チャンネルによって、通話品質にばらつきが生じるという問題点があった。
【０００５】
本発明は、上述した問題点を解決するためになされたものであり、複数の通話チャンネルの中から、無線通信に最適な１の通話チャンネルを割り当て、良好な通話品質を供給することができる無線通信装置を提供することを目的としている。
【０００６】
【課題を解決するための手段】
【０００７】
【０００８】
【０００９】
【００１０】
【００１１】
【００１２】
【００１３】
請求項１記載の無線通信装置は、複数の通話チャンネルから、実際に通話を実行する１の通話チャンネルを割り当てて、その割り当てた通話チャンネルによって相手側装置と無線通信を実行するために、各通話チャンネルの通信品質を指標するための通信パラメータを、各通話チャンネルについて予め検出しておき、その検出されたデータを各通話チャンネルの有する固有データとして、各通話チャンネルに対応づけて記憶する固有データ記憶手段と、その固有データ記憶手段に記憶された各通話チャンネルの固有データに基づいて、所定基準を満たしている少なくとも１以上の通話チャンネルを抽出する通話チャンネル抽出手段と、その通話チャンネル抽出手段により抽出された各抽出通話チャンネルの通信品質を指標するために、前記通信パラメータとは異なる種類であって、検出毎に変動し前記通信パラメータよりも通信品質に影響を及ぼす通信パラメータを検出する通信パラメータ検出手段と、前記通信パラメータ検出手段により検出された各抽出通話チャンネルの検出データに応じて、各抽出通話チャンネルに第１ポイントを付与する第１ポイント付与手段と、前記固有データ記憶手段に記憶された固有データに応じて、各抽出通話チャンネルに第２ポイントを付与する第２ポイント付与手段とを備える共に、前記第１ポイント付与手段と第２ポイント付与手段とによって付与された第１ポイントと第２ポイントとを、第１ポイントの重み付けを大きくした状態で算出された合計ポイントに基づいて、前記通話チャンネル抽出手段により抽出された各抽出通話チャンネルの中から、実際に通話を実行する１の通話チャンネルを割り当てる通話チャンネル割り当て手段とを備えている。
【００１４】
この請求項１記載の無線通信装置によれば、各通話チャンネルの通信品質を指標するための通信パラメータが、各通話チャンネルについて予め検出される。その検出されたデータは、固有データ記憶手段によって、各通話チャンネルの有する固有データとして、各通話チャンネルに対応づけて記憶される。そして、その各通話チャンネルに対応づけて記憶された固有データに基づいて、通話チャンネル抽出手段によって、複数の通話チャンネルの中から、少なくとも１以上の通話チャンネルが抽出される。その抽出された各抽出通話チャンネルについて、前記通信パラメータとは異なる種類であって、検出毎に変動し通信品質に影響を及ぼす通信パラメータが通信パラメータ検出手段によって検出される。そして、第１ポイント付与手段によって、通信パラメータ検出手段により検出された各抽出通話チャンネルの検出データに応じて、各抽出通話チャンネルに第１ポイントを付与する。また、第２ポイント付与手段によって、前記固有データ記憶手段に記憶された固有データに応じて、各抽出通話チャンネルに第２ポイント付与する。更に、第１ポイント付与手段と第２ポイント付与手段とによって付与された第１ポイントと第２ポイントとを、第１ポイントの重み付けを大きくした状態で算出された合計ポイントに基づいて、通話チャンネル抽出手段により抽出された各抽出通話チャンネルの中から、実際に通話を実行する１の通話チャンネルを割り当てる。
【００１５】
請求項２載の無線通信装置は、請求項１記載の無線通信装置において、前記通信パラメータ検出手段により検出された検出データを、各抽出通話チャンネルに対応づけて記憶する検出データ記憶手段を備え、その検出データ記憶手段に記憶されている各抽出通話チャンネルの検出データを、前記通信パラメータ検出手段により検出される新たな検出データに更新する検出データ更新手段を備えている。
【００１６】
【００１７】
【００１８】
【００１９】
【００２０】
【発明の実施の形態】
以下、本発明の好ましい実施例について、添付図面を参照して説明する。図１は、親機１ａと、その親機１ａとの間で無線回線５２（図２参照）を介して接続された子機１ｂ〜１ｄとから構成されるコードレス親子電話装置１の外観斜視図である。親機１ａは、電話回線２６を介して接続される相手側装置との間で、電話動作、ファクシミリ動作や電子メールの送受信を行う通信装置である。この親機１ａの本体２の側部には、受話器３が取り付けられている。受話器３は、非通話時には本体２に設けられた図示しないフック上に置かれ、通話時にはフックから取り上げられて使用される。
【００２１】
本体２の上面前部には、数値や文字などを入力する入力ボタンやコマンドを入力するコマンド入力ボタンなどの複数のボタンを備えた操作パネル４が設けられている。この操作パネル４の左上端部にはコマンド入力ボタンの一つである設定ボタン４ａが設けられている。設定ボタン４ａは、各種の設定やコマンドを入力する入力画面を液晶表示器（以下単に「ＬＣＤ」と略す）５に表示させるためのボタンであり、この設定ボタン４ａが操作者により押下されると入力画面がＬＣＤ５に表示される。
【００２２】
操作パネル４の中央部には、上記したＬＣＤ５が設けられている。このＬＣＤ５は、親機１ａにより実行される処理や、親機１ａと電話回線２６を介して接続されている相手側装置との通信状態を表示する表示器であり、タッチパネルで構成されている。親機１ａが、操作パネル４上に設けられた設定ボタン４ａやテンキー４ｂ等のボタンにより操作されると、その操作状態や操作手順などはこのＬＣＤ５へ表示される。
【００２３】
操作パネル４及びＬＣＤ５の後部には原稿挿入口６が設けられている。ファクシミリ送信される原稿は、この原稿挿入口６に原稿面を下向きにして挿入され、読み取りが行われた後に、本体２の前面であって操作パネル４の下方に設けられた原稿排出口７から排出される。原稿挿入口６の後部には記録紙ホルダ装着部９が設けられており、この記録紙ホルダ装着部９には、複数枚の記録紙を積層収納可能な記録紙ホルダ１０が着脱可能に取り付けられている。記録紙ホルダ１０から供給され印刷に使用された記録紙は、原稿排出口７の下方に設けられた記録紙排出口８から排出される。
【００２４】
また、本体２には、子機１ｂ〜１ｄと各種信号やデータの送受信を行うための接続手段としてアンテナ１８（図２参照）が設けらている。親機１ａは、このアンテナ１８を介して、子機１ｂ〜１ｄと無線回線５２により接続される。親機１ａと子機１ｂ〜１ｄとの間で送受信されるデータの媒体としては、所定のチャンネル（通話チャンネルまたは制御チャンネル）の電波が用いられる。
【００２５】
上記のように構成された親機１ａは、１チャンネル〜８９チャンネルのチャンネルのいずれかで通信を実行するようになっている。かかるチャンネルの内、４６チャンネルと８９チャンネルとの２個のチャンネルは無線リンクを確立するための制御チャンネルとして使用され、残りの８７個のチャンネルは通話チャンネルとして使用される。
【００２６】
親機１ａは、子機１ｂ〜１ｄと通信できるように、定常的に通話チャンネルの検出を実行して、８７個の各通話チャンネルの空き状況をチェックしている（空きチャンネルスキャン処理）。更に、子機１ｂ〜１ｄからの通信要求（コマンド（データ）送信）を検出するため、通信要求に関するコマンドが送信される制御チャンネルの出力を定常的（定期的）に検出している（制御チャンネルスキャン処理）。この制御チャンネルにより親機１ａがデータを送信できる時間は４秒以内と決められており、この４秒の間に、親機１ａに接続される各子機１ｂ〜１ｄにデータを送信する。尚、複数の子機にデータを送信する場合には、そのデータは送信先の各子機宛に巡回的に送信されるようになっている。
【００２７】
子機１ｂ〜１ｄは、親機１ａとの間でデータの送受信を行うためのアンテナ３３（図２参照）を備えた通信装置である。この子機１ｂ〜１ｄは、親機１ａを介して電話回線２６に接続できるように構成されている。この子機１ｂ〜１ｄからの外線発呼は、コマンドを親機１ａに送信し、そのコマンドに基づいた動作を親機１ａに実行させることにより実行される。
【００２８】
子機１ｂ〜１ｄは、その筐体前面に操作パネル３７とＬＣＤ３８とを備えている。操作パネル３７の中央部には、数値や文字などを入力する複数のテンキー３７ａが設けられている。テンキー３７ａの上方左側には、スタートキー４４が備えられている。スタートキー４４は、電話回線２６の閉結および開放を実行するためのボタンである。該キー４４が回線開放状態で押下されると電話回線２６の閉結が実行される。その際には、通信要求が親機１ａに対してなされるが、該通信要求は制御チャンネルにより伝送される。
【００２９】
子機１ｂ〜１ｄの筐体の下方には、音声信号（使用者の発話）を電気信号に変換するマイク３５が設けられ、また子機１ｂ〜１ｄの筐体の上方には電気信号を音声信号に変換するスピーカ３６が設けられている。これにより子機１ｂ〜１ｄは、親機１ａまたは、電話回線２６を介して発呼側装置（相手側装置）と通話を行うことができる。
【００３０】
この子機１ｂ〜１ｄは、親機１ａと同様に、１チャンネル〜８９チャンネルのチャンネルのいずれかで通信を実行するようになっており、４６チャンネルと８９チャンネルとを制御チャンネルとして使用し、残りのチャンネルは通話チャンネルとして使用するようになっている。そして、親機１ａからの制御チャンネルの出力を定常的に調べることにより、親機１ａからの通信要求（コマンド（データ）送信）の有無を確認している。親機１ａからは、装置全体のＩＤコードと送信先子機の識別番号が付加されたデータが送信される。子機１ｂ〜１ｄは、受信したデータに自機の識別番号が付加されていた場合にのみ、親機１ａに対して応答する。
【００３１】
上記のように構成された子機１ｂ〜１ｄは、充電台５０に着脱可能に設置されている。子機１ｂ〜１ｄは、充電台に設置された状態で、コネクタ４９（図２参照）を介して充電台５０に接続される。また、子機１ｂ〜１ｄは、コネクタ４９により充電台５０に接続されるとオンフック状態となる。充電台５０から取り上げられる（コネクタ４９が充電台から外れる）ことによりオフフック状態となる。つまり、子機１ｂ〜１ｄが充電台５０から取り上げられると、回線閉結状態を形成するべく、通信要求が制御チャンネルにより親機１ａへ送信されるのである。
【００３２】
充電台５０は、接続（設置）された子機１ｂ〜１ｄを所定の電圧で充電するものである。この充電台５０は、図示しない外部電源に接続されており、外部電源から供給された電源を子機１ｂ〜１ｄに供給している。尚、子機１ｂ〜１ｄは、充電台５０から脱着された状態にある場合には、制御チャンネルの検出処理の合間にスタンバイ状態（必要最小限の処理のみ実行される状態）を挿嵌し、消費エネルギーの低減を図っている。このため、子機１ｂ〜１ｄが充電台５０から脱着されている場合には、子機１ｂ〜１ｄでの制御チャンネルの検出は、間欠的に実行されることとなる。
【００３３】
図２は、親機１ａおよび子機１ｂ〜１ｄの電気的構成を示したブロック図である。親機１ａには、ＣＰＵ１１、ＲＯＭ１２、ＲＡＭ１３、ＥＥＰＲＯＭ１４、リアルタイムクロック（以下単に「ＲＴＣ」と略す）１５、音声ＬＳＩ１７、コードレスユニット５１、ネットワーク・コントロール・ユニット（以下単に「ＮＣＵ」と称す）１９、モデム２０、バッファ２１、スキャナ２２、符号化部２３、復号化部２４、プリンタ２５、操作パネル４、ＬＣＤ５およびアンプ２７が設けられ、これらはバスライン２９を介して互いに接続されている。
【００３４】
ＮＣＵ１９は回線制御を行うためのものであり、親機１ａはこのＮＣＵ１９を介して電話回線２６に接続されている。ＮＣＵ１９は、交換機から送信される呼出信号や各種信号を受信するとともに、親機の操作パネル４上又は子機の操作パネル３７上の入力ボタンの操作に応じた発信時のダイヤル信号を交換機へ送信したり、電話回線２６の閉結時において、アナログ音声信号の送受信などのデータ通信を行うものである。また、ＮＣＵ１９は受話器３と接続されている。
【００３５】
ＣＰＵ１１は、ＮＣＵ１９を介して送受信される各種信号に従って、バスライン２９により接続された各部を制御し、ファクシミリ動作や電話動作などのデータ通信を実行するものである。ＲＯＭ１２は、この親機１ａで実行される制御プログラム等を格納した書換不能なメモリであり、無線通信処理１２ａを備えている。無線通信処理１２ａは、制御プログラムの一部であり、８７個の通話チャンネルの中から、実際に無線通信を実行する１の通話チャンネルを割り当て、その通話チャンネルによって無線通信を実行する処理である。
【００３６】
ＥＥＰＲＯＭ１４は、書換可能な不揮発性のメモリであり、このＥＥＰＲＯＭ１４へ記憶されたデータは電源オフ後も保持される。このＥＥＰＲＯＭ１４は、Bit Error Rate（以下「ＢＥＲ」と称す）テーブル１４ａと、Signal to Noise Rate（以下「ＳＮＲ」と称す）テーブル１４ｂと、第１合計得点テーブル１４ｃとを備えている。
【００３７】
ＢＥＲテーブル１４ａについては、図３を参照して説明する。尚、本実施例においては、８７個の通話チャンネルのうち１チャンネルから８チャンネルについてのみ述べ、９チャンネル以降についてはその説明は省略する。このＢＥＲテーブル１４ａは、予め（製品の出荷前）、各通話チャンネルについて１０００ビットに対し何ビットのエラーがあるかを検出し、そのエラービット数を各通話チャンネルに対応づけて記憶したものである。即ち、各通話チャンネルに生じるエラービット数を各通話チャンネルの通信品質を示す通信パラメータとして検出し、この検出したエラービット数を各通話チャンネルの有する固有データとして、各通話チャンネルに対応させて記憶したものである。これにより、各通話チャンネルの有する固有の通信品質を把握することができる。
【００３８】
また、各通話チャンネルには、検出したエラービット数に基づいて、通信品質の良好なエラービット数の少ない通話チャンネルから順番に、第１位，第２位，第３位等と順位が付与される。例えば、図３においては、エラービット数が最も少ない１回である１チャンネルに第１位が付与され、１チャンネルに次いでエラービット数が少ない３回である４チャンネルに第２位の順位が付与される。以降は同様に、第３位は２チャンネル、第４位は６チャンネル等の順位が付与される。
【００３９】
ＳＮＲテーブル１４ｂについては、図４を参照して説明する。このＳＮＲテーブル１４ｂは、予め（製品の出荷前）、各通話チャンネルについてＳＮＲ、即ち、信号（Signal）と雑音（Noise）との比（Ratio）を検出し、その検出したＳＮＲを各通話チャンネルに対応づけて記憶したものである。即ち、各通話チャンネルのＳＮＲを各通話チャンネルの通信品質を示す通信パラメータとして検出し、この検出したＳＮＲを各通話チャンネルの有する固有データとして、各通話チャンネルに対応させて記憶したものである。これにより、上述した通信パラメータとしてのＢＥＲとは異なる種類の通信パラメータに基づき、各通話チャンネルの有する固有の通信品質を把握することができる。
【００４０】
また、各通話チャンネルには、検出したＳＮＲに基づいて、通信品質の良好なＳＮＲの高い通話チャンネルから順番に、第１位，第２位，第３位等と順位が付与される。例えば図４においては、ＳＮＲが最も高い４０（ｄＢ）である１チャンネルに第１位が付与され、１チャンネルに次いでＳＮＲ値が高い３６（ｄＢ）である５チャンネルに第２位の順位が付与される。以降は同様に、第３位は２チャンネル、第４位は６チャンネル等の順位が付与される。
【００４１】
第１合計得点テーブル１４ｃについては、図５を参照して説明する。この第１合計得点テーブル１４ｃは、上記ＢＥＲテーブル１４ａとＳＮＲテーブル１４ｂとに記憶された各通話チャンネルの順位の合計得点を各通話チャンネルの第１合計得点として各通話チャンネルに対応させて記憶したものである。そして、各通話チャンネルの有する第１合計得点に基づいて、本実施例においては、第１合計得点が８ポイント以下のものを所定基準をクリアした通信品質を有する通話チャンネルとしてチェックする。
【００４２】
例えば、チャンネル１の第１合計得点は、図３に示すＢＥＲテーブル１４ａで付与された第１位による１ポイントと、図４に示すＳＮＲテーブル１４ｂで付与された第１位による１ポイントとの合計得点である２ポイントが付与される。従って、１チャンネルの第１合計得点は８ポイント以下であるので、１チャンネルは所定基準をクリアした通話チャンネルとしてチェックされる。
【００４３】
一方、チャンネル３の第１合計得点は、図３に示すＢＥＲテーブル１４ａで付与された第６位による６ポイントと、図４に示すＳＮＲテーブル１４ｂで付与された第７位による７ポイントとの合計得点である１３ポイントが付与される。従って、第１合計得点は８ポイント以上であるので、３チャンネルは所定基準を満たさない、即ち、通信品質の良好でない通話チャンネルとしてチェックされる。
【００４４】
このように、異なる種類の通信パラメータ（ＢＥＲとＳＮＲ）に基づいて、各通話チャンネルの通信品質の良否を判断するので、高い信頼性をもって良好な通信品質を有する通話チャンネルを把握することができる。
【００４５】
ＲＡＭ１３は、各種のデータを一時的に記憶するためのメモリであり、抽出テーブル１３ａと、電解強度（Received Signal Strength Indicator）（以下「ＲＳＳＩ」と称す）テーブル１３ｂと、第２合計得点テーブル１３ｃとを備えている。抽出テーブル１３ａについては、図６を参照して説明する。抽出テーブル１３ａは、上述したＥＥＰＲＯＭ１４の第１合計得点テーブル１４ｃにおいて、第１合計得点が８ポイント以下であるとして、チェックされた通話チャンネルと、その通話チャンネルの有する第１合計得点とを抽出したものである。この抽出テーブル１３ａに記憶された各通話チャンネルの中から、実際に無線通信を実行する１の通話チャンネルが割り当てられる。
【００４６】
これにより、従来では８７個の通話チャンネルから、実際に無線通信を実行する１の通話チャンネルを割り当てていた場合に比べ、予め、８７個の通話チャンネルの中から、所定基準を満たさない通信品質の通話チャンネルを除外して、所定基準を満たした通話チャンネルの中から、実際に無線通信を実行する１の通話チャンネルを割り当てることができるので、効率良く、通信品質の良好な通話チャンネルを割り当てることができる。
【００４７】
ＲＳＳＩテーブル１３ｂについては、図７及び図８を参照して説明する。このＲＳＳＩテーブル１３ｂは、抽出テーブル１３ａに記憶されている各通話チャンネルについてＲＳＳＩを検出し、そのＲＳＳＩを各通話チャンネルに対応づけて記憶したものである。即ち、この各通話チャンネルのＲＳＳＩを各通話チャンネルの通信品質を示す通信パラメータとして検出し、その検出したＲＳＳＩを各通話チャンネルの有する検出データとして、各通話チャンネルに対応させて記憶したものである。これにより、上記通信パラメータ（ＢＥＲとＳＮＲ）とは異なる種類の通信パラメータに基づき、抽出テーブル１３ａに記憶された各通話チャンネルの通信品質を把握することができる。
【００４８】
また、各通話チャンネルには、検出したＲＳＳＩに基づいて、通信品質の良好なＲＳＳＩの低い通話チャンネルから順番に、第１位，第２位，第３位等と順位が付与される。例えば、図７のＲＳＳＩテーブル１３ｂにおいては、ＲＳＳＩが最も低い４（μＶ）である４チャンネルに第１位が付与され、その４チャンネルに次いでＲＳＳＩが少ない５（μＶ）である１チャンネルに第２位の順位が付与される。以降は同様に、第３位は６チャンネル、第４位は２チャンネルと順位が付与される。
【００４９】
また、各通話チャンネルのＲＳＳＩは、検出時刻によって変動するものであるので、この図７に示すＲＳＳＩテーブルの各通話チャンネルのＲＳＳＩは、図８に示すように新たなＲＳＳＩが検出される度に更新される。例えば、図８に示す更新後のＲＳＳＩテーブルにおいては、当初、ＲＳＳＩが５（μＶ）であった１チャンネルを再度検出した結果、１チャンネルのＲＳＳＩは８（μＶ）であったため、１チャンネルのＲＳＳＩは、５（μＶ）から８（μＶ）に更新される。以下は同様に、各通話チャンネルの再検出結果に応じて、各通話チャンネルのＲＳＳＩは更新され、更新されたＲＳＳＩに基づいて、各通話チャンネルに新たな順位が付与される。これにより、検出時刻によって変動する各通話チャンネルのＲＳＳＩに対しても、その変動に応じた通信品質の良好な通話チャンネルを把握することができる。
【００５０】
第２合計得点テーブル１３ｃについては、図９を参照して説明する。この第２合計得点テーブル１３ｃは、抽出テーブル１３ａに記憶されている各通話チャンネルの第１合計得点と、ＲＳＳＩテーブル１３ｂにおいて各通話チャンネルに付与された順位との合計得点とを各通話チャンネルの第２合計得点として各通話チャンネルに対応させて記憶したものである。尚、第２合計得点として加算されるＲＳＳＩテーブル１３ｂに記憶されている順位は更新後（最新）のものである。また、その各通話チャンネルの有する第２合計得点に基づいて、通話品質の良好な第２合計得点の低い通話チャンネルから順番に、第１位，第２位，第３位等と順位が付与される。
【００５１】
例えば、図９に示す第２合計得点テーブル１３ｃにおいては、１チャンネルの第２合計得点は、図６に示す抽出テーブル１３ａに記憶された第１合計得点２ポイントと、図８に示す更新後のＲＳＳＩテーブル１３ｂに記憶された第４位による４ポイントとの合計得点である６ポイントが付与される。以降は同様に各通話チャンネルについて第２合計得点が算出され、その算出された第２合計得点に基づき、第２合計得点が最も低い６ポイントとである１チャンネルに第１位が付与され、その１チャンネルに次いで少ない第２合計得点が７ポイントである２チャンネルに第２位の順位が付与される。こうして、この第２合計得点テーブル１４ｃにおいて、第１位の順位が付与されている通話チャンネルが通話チャンネル割り当て処理（図１３参照）において実際の無線通信を実行する通話チャンネルとして割り当てられる。
【００５２】
よって、実際の無線通信を実行する通話チャンネルとして割り当てられる通話チャンネルは、ＢＥＲ及びＳＮＲの２種類の通信パラメータに加えＲＳＳＩに基づいて割り当てられるので、複数の通話チャンネルの中から、通信品質の最良の通話チャンネルを割り当てることができる。
【００５３】
また、このＲＡＭ１３の所定のエリアには、復号化されたファクシミリデータが一時的に記憶される。記憶されたファクシミリデータは、その後、プリンタ２５に出力される。出力されたファクシミリデータは、プリンタ２５によって記録紙に印刷された後に、ＲＡＭ１３から消去される。ファクシミリデータが画像データである場合、一般に、そのデータ量は大容量であるが、ファクシミリデータが印刷されることを条件にそのファクシミリデータを消去しているので、ＲＡＭ１３を有効に使用することができる。
【００５４】
ＲＴＣ１５は、年月日や曜日、時間、分、秒の計時を行うＩＣである。受信したファクシミリデータなどには、このＲＴＣ１５の値に基づいて、受信した日付と時刻とのデータが付加され、受信時間による管理を行うことができるようになっている。このＲＴＣ１５には、親機１ａの電源をオフにした場合のバックアップ用の電圧を供給するバッテリー回路１５ａが接続さている。ＲＴＣ１５は、このバッテリー回路１５ａにより、親機１ａの電源をオフした後でも計時を継続することができる。
【００５５】
音声ＬＳＩ１７は、ＮＣＵ１９によって受信されたアナログ音声信号をデジタル音声信号に変換するとともに、この親機１ａの内部で生成されたデジタル音声信号をアナログ音声信号に変換してＮＣＵ１９に出力するものである。
【００５６】
アンテナ１８は、親機１ａと子機１ｂ〜１ｄとの間でデータの送受信を行うためのものであり、子機１ｂ〜１ｄへと送信されるデータや各種信号は、アンテナ１８を介して送信され、一方、子機１ｂ〜１ｄから親機１ａへ送信されるデータや各種信号は、アンテナ１８を介して受信される。受信されたデータは、コードレスユニット５１を経由してＣＰＵ１１に入力される。また、親機１ａから子機１ｂ〜１ｄへ送信されるデータは、コードレスユニット５１を介し、アンテナ１８経由で子機１ｂ〜１ｄへ出力される。
【００５７】
コードレスユニット５１は、音声信号やデータ信号を電波として送受するためのユニットである。モデム２０は、画像データや電子メールデータの変調および復調を実行するものであると共に、伝送制御用の各種手順信号を送受信するものである。バッファ２１は、他のファクシミリ装置との間で送受信される符号化されたファクシミリデータやスキャナ２２により読み取られた原稿の画像データを一時的に格納するものである。
【００５８】
スキャナ２２は原稿挿入口６に挿入された原稿の画像を読み取るためのものであり、符号化部２３はスキャナ２２により読み取られた原稿画像の符号化を行うものである。復号化部２４は、バッファ２１に記憶された受信したファクシミリデータを読み出して、これを復号化するものであり、復号化されたデータは、ＲＡＭ１３に一旦記憶された後、プリンタ２５により記録用紙に順次印刷される。  操作パネル４は、上記したように使用者がこの親機１ａの設定等の各種の操作を行うためのものである。アンプ２７は、そのアンプ２７に接続されたスピーカ２８を鳴動して、呼出音や音声メッセージなどを出力するためのものである。
【００５９】
次に、子機１ｂ〜１ｄにおける電気的構成について子機１ｂを用いて説明する。尚、子機１ｃ，１ｄは、子機１ｂと同様に構成されるのでその説明は省略する。子機１ｂは、ＣＰＵ３０、ＲＯＭ３１、ＲＡＭ３２、コードレスユニット３４、操作パネル３７、ＬＣＤ３８が設けられ、これらは互いに接続されている。
【００６０】
ＣＰＵ３０は、使用者により入力された信号や、コードレスユニット３４を介して親機１ａから送信される各種信号などに従って各部を制御し、電話動作など（親機１ａとのデータ通信を含む）を実行するものである。ＲＯＭ３１は、この子機１ｂで実行される制御プログラム等を格納した書換不能なメモリである。ＲＡＭ３２は、各種のデータを一時的に記憶するためのメモリである。ＲＡＭ３２は、各種のデータを一時的に記憶するためのメモリである。
【００６１】
アンテナ３３は、子機１ｂと親機１ａとの間での電波の送受信を行うものであり、コードレスユニット３４、マイク３５、スピーカ３６と接続されている。親機１ａから送信されたアナログ音声信号は、アンテナ３３に受信された後、スピーカ３６に出力され、マイク３５から入力されたアナログ音声信号（使用者の発話）は、アンテナ３３から親機１ａへと送信される。
【００６２】
コードレスユニット３４は、音声信号やデータ信号を電波として送受するためのユニットである。コードレスユニット３４は親機１ａとの間でデータの送受信を行うためのものであり、子機１ｂから親機１ａへと送信される各種信号は、このコードレスユニット３４からアンテナ３３を介して送信され、一方、親機１ａから子機１ｂへ送信される各種信号は、アンテナ３３に受信された後、コードレスユニット３４を介してＣＰＵ３０に入力される。
【００６３】
この子機１ｂは、コネクタ４９を介して充電台５０と接続されるように構成されている。そして、コネクタ４９で充電台５０と接続されることにより、子機１ｂは、外部電源からの電源供給を受ける。供給された電源は、コネクタ４９を経由して子機１ｂに内蔵される電源ユニット４８へ供給される。電源ユニット４８には２次電池が備えられており、供給された電源により該２次電池は充電される。子機１ｂは、この電源ユニット４８から電源供給を受けるので、充電台５０から取り上げて操作する場合においても、（電源ユニット４８に備えられた２次電池により）電源が保証される。
【００６４】
このコネクタ４９と充電台５０との接続状態をＣＰＵ３０は監視しており、ＣＰＵ３０は、コネクタ４９が充電台５０から外れたことを認識した場合には、制御チャンネルの検出処理を間欠動作で実行する。
【００６５】
次に、図１１から図１３のフローチャートを参照して、上述のように構成されたコードレス親子電話装置１の親機１ａで実行される無線通信について説明する。図１１は、親機１ａで実行される無線通信処理を示したフローチャートである。この無線通信処理においては、ＥＥＰＲＯＭ１４の第１合計得点テーブル１４ｃに記憶されている通話チャンネルの中から、所定基準（本実施例においては８ポイント以下）を満たした通話チャンネルと、その通話チャンネルの有する第１合計得点とを対応づけて、ＲＡＭ１３の抽出テーブル１３ａに呼び出す（Ｓ１）。即ち、第１合計得点テーブル１４ｃから第１合計得点が８ポイント以下である１，２，４，６チャンネルと、その各通話チャンネルに対応した第１合計得点、２，６，７，８ポイントとを対応づけて抽出テーブル１３ａに呼び出す。
【００６６】
次に、抽出テーブル１３ａに呼び出した通話チャンネル（１，２，４，６チャンネル）において、空きチャンネルスキャン処理を実行する（Ｓ２）。この空きチャンネルスキャン処理（Ｓ２）は、抽出デーブル１３ａに呼び出した各通話チャンネル（１，２，４，６チャンネル）のＲＳＳＩを検出するための処理である。この空きチャンネルスキャン処理（Ｓ２）については、図１２のフローチャートを参照して説明する。
【００６７】
空きチャンネルスキャン処理（Ｓ２）においては、ＲＡＭ１３の抽出テーブル１３ａに呼び出した通話チャンネル（１，２，４，６チャンネル）の中から、ＲＳＳＩを検出する１の通話チャンネルを設定する（Ｓ１０）。その設定した通話チャンネルのＲＳＳＩを検出し、その検出したＲＳＳＩを通話チャンネルに対応づけてＲＡＭ１３のＲＳＳＩテーブル１３ｂに書き込む（Ｓ１１）。そして、上記Ｓ１０及びＳ１１の処理を抽出テーブル１３ａに呼び出した各通話チャンネル（１，２，４，６チャンネル）について、Ｓ１０及びＳ１１の処理が終了したか否かを判断する（Ｓ１２）。各通話チャンネル（１，２，４，６チャンネル）について、Ｓ１０及びＳ１１の処理が終了した場合には（Ｓ１２：Ｙｅｓ）、各通話チャンネル（１，２，４，６チャンネル）に対応づけてＲＳＳＩテーブル１３ｂに書き込んだＲＳＳＩに基づいて、ＲＳＳＩの小さいものから順番に順位を付与し（Ｓ１３）、この空きチャンネルスキャン処理を終了する。尚、各通話チャンネル（１，２，４，６チャンネル）について、Ｓ１０及びＳ１１の処理が終了しいない場合には（Ｓ１２：Ｎｏ）、各通話チャンネルについてＳ１０及びＳ１１の処理を実行する。
【００６８】
図１１に戻り、空きチャンネルスキャン処理（Ｓ２）終了後について説明を続ける。空きチャンネルスキャン処理（Ｓ２）が終了すると、制御チャンネルスキャン処理を実行する（Ｓ３）。この制御チャンネルスキャン処理（Ｓ３）は、制御チャンネルに子機１ｂ〜１ｄからの発呼情報等を受信しているか否かを確認する処理である。子機１ｂ〜１ｄからの発呼情報等を受信している場合、即ち、内線を介して子機１ｂ〜１ｄから自局（親機１ａ）への呼出があった場合（Ｓ４：Ｙｅｓ）、又は外線を介して子機１ｂ〜１ｄへの呼出操作がなされる場合には（Ｓ５：Ｙｅｓ）、通話チャンネル割り当て処理（Ｓ６）を実行する。
【００６９】
この通話チャンネル割り当て処理（Ｓ６）については、図１３のフローチャートを参照して説明する。通話チャンネル割り当て処理（Ｓ６）は、上述したＲＡＭ１３のＲＳＳＩテーブル１３ａに記憶されている通話チャンネル（１，２，４，６チャンネル）の中から、実際に子機１ｂ〜１ｄと無線通信を実行する１の通話チャンネルを割り当てる処理である。
【００７０】
この通話チャンネル割り当て処理（Ｓ６）においては、ＲＳＳＩテーブル１３ｂに記憶されている各通話チャンネル（１，２，４，６チャンネル）の順位と、抽出テーブル１３ａに記憶されている対応する各通話チャンネル（１，２，４，６チャンネル）の第１合計得点とを加算する（Ｓ１５）。その加算した合計得点を第２合計得点として、各通話チャンネル（１，２，４，６チャンネル）に対応づけて、第２合計得点テーブル１３ｃに記憶する（Ｓ１６）。そして、各通話チャンネル（１，２，４，６チャンネル）に対応づけて、第２合計得点テーブル１３ｃに記憶した第２合計得点に基づいて、第２合計得点の小さい順に、各通話チャンネル（１，２，４，６チャンネル）に順位を付与する（Ｓ１７）。付与した順位の中から第１位の順位が付与された通話チャンネル（１チャンネル）を、実際に子機１ｂ〜１ｄとの間で無線通信を実行する通話チャンネルとして割り当てる（Ｓ１８）。
【００７１】
再度、図１１に戻り、通話チャンネル割り当て処理（Ｓ６）終了後について説明を続ける。通話チャンネル割り当て処理（Ｓ６）の終了後は、通話チャンネル割り当て処理（Ｓ６）によって割り当てられた通話チャンネルによって親機１ａと子機１ｂ〜１ｄとの間で無線通信が実行され、通常の通話処理（Ｓ７）が行われる。また、通話処理（Ｓ７）が終了した場合、内線を介して子機１ｂ〜１ｄから自局（親機１ａ）への呼出がなかった場合（Ｓ４：Ｎｏ）、外線を介して親機１ａから子機１ｂ〜１ｄへの呼出操作がなされなかった場合には（Ｓ５：Ｎｏ）、Ｓ１からＳ３までの処理を繰り返し実行する。この際、抽出テーブル１３ａに記憶されている通話チャンネルに対して、再度ＲＳＳＩが検出され、ＲＳＳＩテーブル１３ｂに記憶されているＲＳＳＩは、その新たに検出されたＲＳＳＩに更新される（図７のＲＳＳＩテーブルから図８のＲＳＳＩテーブル参照）。
【００７２】
尚、本実施例において、請求項１及び５に記載の通信パラメータ検出手段としては図１２のＳ１０及びＳ１１の処理が該当する。請求項１記載の検出データ記憶手段としては図１２のＳ１１の処理が該当する。請求項１及び５に記載の通話チャンネル割り当て手段としては図１１のＳ６の処理が該当する。請求項３記載の通話チャンネル抽出手段及び請求項４記載の第２通話チャンネル抽出手段としては図１１のＳ１の処理が該当する。請求項７記載の第１ポイント付与手段としては図１２のＳ１３の処理が該当する。
【００７３】
次に、本発明の第２実施例について、図１０を参照して説明する。上記実施例の図９に示す第２合計得点テーブル１３ｃは、抽出テーブル１３ａに記憶されている各通話チャンネルの第１合計得点と、ＲＳＳＩテーブル１３ｂにおいて各通話チャンネルに付与された順位との合計得点とを各通話チャンネルの第２合計得点として各通話チャンネルに対応させて記憶したものである。即ち、第２合計得点は、各通話チャンネルについて、通信パラメータとしてのＢＥＲとＳＮＲとＲＳＳＩとをそれぞれ検出し、その検出したデータに基づいて各通話チャンネルに付与された順位の合計得点である。
【００７４】
しかしながら、各通話チャンネルの通信品質を指標するために採用した上記３種類の通信パラメータ（ＢＥＲとＳＮＲとＲＳＳＩ）は、それぞれに通信品質の指標性の度合いが異なるものである。即ち、ＢＥＲに基づいて第１位の順位が付与されたチャンネルと、ＲＳＳＩに基づいて第１位の順位が付与されたチャンネルとでは、ＲＳＳＩに基づいて第１位の順位が付与されたチャンネルの方が、通信品質が良いことが分かっている。そこで、本発明の第２実施例においては、第２合計得点テーブル１３ｃの第２合計得点を算出する場合に、各通信パラメータに基づいて検出された順位に、それぞれ異なる重みを付与したものである。
【００７５】
例えば、図１０に示す第２合計得点テーブルにおける１チャンネルの第２合計得点を算出する場合には、図８に示す更新後のＲＳＳＩテーブル１３ｂで付与された第４位による４ポイントを２倍にした８ポイントを、図６に示す抽出テーブル１３ａで付与された第１合計得点２ポイントと加算した１０ポイントとして算出する。以降は同様に各通話チャンネルについて第２合計得点が算出され、その算出された第２合計得点に基づき、第２合計得点が最も低い８ポイントとである２チャンネルに第１位が付与され、その２チャンネルに次いで少ない第２合計得点が１１ポイントである４チャンネルに第２位の順位が付与される。こうして、この第２合計得点テーブル１３ｃにおいて、第１位の順位が付与されている通話チャンネルが実際の通話を実行する通話チャンネルとして割り当てられる。
【００７６】
このように、図９に示す第２合計得点テーブルにおいては、第２位の順位が付与される２チャンネルであっても、この２チャンネルは、図８に示すＲＳＳＩテーブルにおいては第１位の順位が付与されているため、このＲＳＳＩに基づく通信品質の影響を考慮した結果、図１０に示す第２合計得点テーブルにおいては、第１位の順位が付与され、実際に無線通信を実行する通話チャンネルとして割り当てられることになる。よって、本発明の第２実施例によれば、通信品質に大きな影響を及ぼすＲＳＳＩの検出結果を、実際に無線通信をする１の通話チャンネルに割り当てる際に大きな影響力をもって反映することができる。
【００７７】
以上実施例に基づき本発明を説明したが、本発明は上記実施例に何ら限定されるものでなく、本発明の趣旨を逸脱しない範囲内で種々の改良変形が可能であることは容易に推察できるものである。
【００７８】
例えば、本実施例では、各通話チャンネルの通信品質を指標する通信パラメータとして、ＢＥＲとＳＮＲとＲＳＳＩとを各通話チャンネルについて検出する場合について説明した。しかしながら、各通話チャンネルの通信品質を指標する通信パラメータとしては、上記のものに限られず、目的信号と妨害信号との比を示すＳＩＲ（Signal to Interference Ratio）であっても良い。
【００７９】
また、各通話チャンネルに関して検出する通信パラメータの数も３種類に限られるものではなく、例えば、ＲＳＳＩの１種類のみや、ＢＥＲとＲＳＳＩとの２種類等であっても良い。かかる場合には、検出する通信パラメータが少ないので、効率良く実際に無線通信を実行する１の通話チャンネルを割り当てることができる。また、ＢＥＲとＳＮＲとＲＳＳＩとＳＩＲとの４種類であっても良い。かかる場合には、通信品質の良好な通話チャンネルを高い信頼性をもって、実際に無線通信を実行する１の通話チャンネルとして割り当てることができる。
【００８０】
また、各通話チャンネルに関して、通信パラメータを検出する時の親機と子機との動作状態は待機中である必要はなく、電波状況が変化するような外線着信中などの状態で通信パラメータの検出を行っても良い。
【００８１】
また、本実施例においては、通話チャンネル割り当て処理として図１３におけるＳ１５からＳ１８までの処理を説明した。しかしながら、図１３におけるＳ１５からＳ１８までの処理は、図１２における空きチャンネルスキャン処理の一部としてＳ１１の処理の後に実行しても良い。
【００８２】
【発明の効果】
【００８３】
【００８４】
【００８５】
【００８６】
請求項１記載の無線通信装置によれば、実際に通話を実行する１の通話チャンネルに割り当てられる通話チャンネルは、複数の通話チャンネルの中から、予め抽出された少なくとも１以上の通話チャンネルの中から割り当てられる。よって、複数の通話チャンネルよりも少ない数の通話チャンネルの中から、実際に通話を実行する１の通話チャンネルを割り当てることができ、効率良く１の通話チャンネルを割り当てることができるという効果がある。また、通信パラメータ抽出手段により抽出する場合の指標となる通信パラメータとは異なる種類であって検出毎に変動し、その通信パラメータよりも通信品質に影響を及ぼす通信パラメータが、通話チャンネル抽出手段によって抽出された各抽出通話チャンネルについて通信パラメータ検出手段によって検出され、通話チャンネル割り当て手段は、その通信パラメータ検出手段によって検出された検出データに基づいて、実際に通話を実行する１の通話チャンネルを割り当てるので、より高い信頼性をもって各通話チャンネルの通信品質を把握することができるという効果がある。
また、通話チャンネル割り当て手段は、第１ポイント付与手段と第２ポイント付与手段とによって付与した第１ポイントと第２ポイントとを第１ポイントの重み付けを大きくした状態で算出された合計ポイントに基づいて、通話チャンネル抽出手段により抽出された各抽出通話チャンネルの中から、実際に通話を実行する１の通話チャンネルを割り当てる。よって、異なる種類の通信パラメータに基づいて検出される各通話チャンネルのデータを、効率良く処理することができるという効果がある。
また、通信パラメータの種類に応じて、各通信パラメータが、実際に無線通信を実行する１の通話チャンネルを割り当てる場合の影響力に軽重を付与することができるという効果がある。従って、各通話チャンネルの通信品質に大きな影響を及ぼす通信パラメータについては、大きなポイントを付与する等して、無線通信に最適な通話チャンネルを実際に無線通信を実行する通話チャンネルとして割当てることができる。
【００８７】
【００８８】
請求項２記載の無線通信装置によれば、請求項１記載の無線通信装置の奏する効果に加え、 通信パラメータ検出手段により検出される新たな検出データは、 検出データ更新手段によって更新される。よって、各抽出通話チャンネルの通信品質が時刻によって変化する場合であっても、その変化に対応して、複数の通話チャンネルの中から、無線通信に最適な１の通話チャンネルを割り当てることができるという効果がある。
【００８９】
【００９０】
【００９１】
【図面の簡単な説明】
【図１】  本実施例の一実施例であるコードレス親子電話装置の外観斜視図である。
【図２】  上記コードレス親子電話装置の電気的構成を示したブロック図である。
【図３】  ＢＥＲテーブルを示した図である。
【図４】  ＳＮＲテーブルを示した図である。
【図５】  第１合計得点テーブルを示した図である。
【図６】  抽出テーブルを示した図である。
【図７】  ＲＳＳＩテーブルを示した図である。
【図８】  更新後のＲＳＳＩテーブルを示した図である。
【図９】  第２合計得点テーブルを示した図である。
【図１０】  第２実施例の第２合計得点テーブルを示した図である。
【図１１】  無線通信処理のフローチャートである。
【図１２】  空きチャンネルスキャン処理のフローチャートである。
【図１３】  通話チャンネル割り当て処理のフローチャートである。
【符号の説明】
１            コードレス親子電話装置（無線通信装置）
１ａ          親機（相手側装置）
１ｂ〜１ｄ    子機（相手側装置）
【図１】
0003724418.tif 000002
【図２】
0003724418.tif 000003
【図３】
0003724418.tif 000004
【図４】
0003724418.tif 000005
【図５】
0003724418.tif 000006
【図６】
0003724418.tif 000007
【図７】
0003724418.tif 000008
【図８】
0003724418.tif 000009
【図９】
0003724418.tif 000010
【図１０】
0003724418.tif 000011
【図１１】
0003724418.tif 000012
【図１２】
0003724418.tif 000013
【図１３】
0003724418.tif 000014